(57)【要約】      （修正有）【課題】ブック用紙の中心にまたがる絵柄があっても損われる事がなく、パノラマ的に絵柄が展開し、かつ見開きが良いブックを提供する。【解決手段】１枚のヨコ長の用紙を３分割したものを複数枚用意し、Ｎｏ．１用紙の第３区画の裏にＮｏ．２用紙の第１区画の表を水性のりで接着し、同様にＮｏ．３、４・・・用紙を接着して連続になったものを１区画ずつジグザグ状に折ってブックの本文とし、Ｎｏ．１には３区画、Ｎｏ．２、３・・・には２区画にまたがってパノラマ絵柄をプリントする。カバーは１枚のヨコ長用紙の必要な個所に折り筋を施して、本文の４辺を包めるようにして、本文の背中以外の区画に水性のりを施して接着する。【選択図】図７
2011235618.tif 000002
【特許請求の範囲】
【請求項１】
１枚の長方形の用紙の長手方向に、直角に一定間隔にミシン目又は折り筋を施して複数区画に分割し、このような用紙Ｎｏ．１、Ｎｏ．２、Ｎｏ．３・・・を用意し、Ｎｏ．１区画の最終区画の裏面をＮｏ．２区画の最初の区画裏面と重ね合せて水性のりで接着し、同様のプロセスでＮｏ．２、Ｎｏ．３、Ｎｏ．４．・・用紙を連続的に接合し、次いでこの用紙を一定間隔でジグザグ状に折った物を、連続ブックの本文とする。
次に１枚の長方形の別の表紙用紙を、所定の間隔でミシン目又は折り筋を施しその上に、２列の水性のりの線のりを施して、その上の所定の位置に上記本文を重ね合せて接着し、本文を表紙によって包み、表紙の両端の本文からはみ出した部分同志をはさみこむようにして、ブックの四方を完全に包込む事が出来る事を特徴とする。
【請求項２】
本文として、片面に光触媒を塗布された光触媒紙を使用し、請求項１によって１冊の連続ブックを製本し、光触媒面を白地のまま又は大部分白地の状態の外側とし、印刷部分は、主に非光触媒面に施して内側とし、こうして造られた連続ブックをガラス窓際の下部に置いて、ブック本文の上端を持ち上げてジグザグ状として窓上部に取付ければ、本文外側はジグザグ状になって吊下げられ、太陽光に当てられると充分な光触媒効果を発揮して、まわりの空気を浄化し、健康と環境に良い事を特徴とする光触媒型連続ブック。
【発明の詳細な説明】
【技術分野】
【０００１】本発明は、紙のブックの製本に関するものである。
【背景技術】
【０００２】従来のブックは、ホッチキスで（中とじ）又はホットメルト接着剤によって製本される。前者では見開きは良いが、中央の折り目上にホッチキスがあって、印刷面の邪魔になる。後者では中央の背中の部分が固くのりづけされているので、見開きが悪く、頁めくりもやりにくく、また製本工程では熱せられた糊の悪臭が発生し、かつＣＯ２を排出するので環境に悪い。
【発明が解決しようとする課題】
【０００３】［０００２］で述べられている従来ブックの欠点を解決し、読者に読み易く、かつその製本工程でＣＯ２の発生が少なく、環境に良いブックを提供しようとするのが、本発明の課題である。
【課題を解決する手段】
【０００４】まず用紙をつなぐためには、ホットメルト接着剤の代りにＣＯ２を発生しない水性接着剤を利用し、見開き及び頁めくりを良くし、複数頁にまたがるパノラマ式絵柄を可能にするために、背中を固定しないジグザク式連続用紙を利用する。
【本発明の効果】
【０００５】１、連続ブックの本文はジグザグ状に折られているので、これを拡げればヨコに長い写真やイラストを、連続してパノラマ状に印刷できる。
２、本文の背中は、従来の無線とじと異なり、接着されているので、各頁は見開きが良く、かつ頁めくりが容易である。
３、高熱に溶かされたホットメルト接着剤を使用しないので、ＣＯ２の発生が少なく、環境に良い。
４、光触媒効果  ：  本文の用紙として、片面に光触媒を塗布した光触媒紙を利用すれば、空気清浄に役立つブックとすることができる。
【発明を実施するための最良の形態】
【実施例１】図１、２、３、４、５、６、７【０００６】１枚のヨコ長の用紙に等間隔の折り筋、又はミシン目を施したものを単位用紙とする。ここでは簡単のため１枚の用紙を３等分したものを単位用紙とする。（図１）
Ｎｏ．１単位用紙１の３区画を１−１、１−２、１−３とする。
単位用紙２、３・・・についても同様である。
次に図２のように１の第３区画１−３の裏面に適当なパターンの水性のり、例えば線のりＧ−１、Ｇ−２を施して、２の第１区画の表面２−１を重ねて接着する。
同様にしてこの第３区画２−３の裏面と３の第１区画３−１のの表面をのりづけする。
こののりづけプロセスを繰り返す事によって、複数頁の連続ブックの１冊分の連続紙の本文が得られる。
この本文を図３及び図４のように、１区画ずつにジグザグ状に折りたたむ事によって、１冊分の本文が得られる。
このとき例えば、単位用紙１で３頁分が継ぎ目なしで続いているので、３頁分のパノラマ絵柄を印刷する事が可能である。また２、３、・・では、２頁分の絵柄を印刷する事が可能である。
図５は、ジグザグに折られた本文３を包むカバー４の平面図である。カバーはミシン目又は折り筋によって、５区画４−１、４−２、４−３、４−４、４−５に分割され、更に４−５は２枚重ねで１辺をのりＧ−３で接続されてポケットとなっており、図６は本文３とカバー４をのりＧ−４で接着された状態を示し、図７は本文をカバー４で包む状態の側面図で、このとき４−１はポケット６に挿入される。
こうして本文３の４辺はカバー４によって包囲され、従来のブックのように背中を表紙に接着しなくてもバラバラに分解される事がない。
従って、本文を読むときに見開きが１８０°開くと同時に、頁めくりが容易である。
また、従来の高熱のホットメルト接着剤による製本と異なり、ＣＯ２の排出が少なく、環境に良いのが特徴である。
【実施例２】図８
図９のように光触媒紙を利用した本文８をジグザグ状に展開して、太陽光の当たるガラス窓の下部において、光触媒塗布面を白紙のままとし、その上端を窓の上部に添付し、ジグザグ状に吊るすと、８の光触媒面８−１に太陽光が当たると光触媒効果が充分に発揮され、同時に非光触媒面８−２には色々な印刷を施して、室内から見えるようにする事を特徴とする、光触媒型連続ブック。
【図面の簡単な説明】
【０００７】
【図１】本発明に於ける単位用紙の平面図
【図２】本発明に於ける単位用紙のＮｏ．１、Ｎｏ．２、Ｎｏ．３のつなぎ方法の側面図
【図３】本発明に於ける連続で折られた単位用紙Ｎｏ．１、Ｎｏ．２、Ｎｏ．３の側面図
【図４】本発明に於ける連続したＮｏ．１、Ｎｏ．２、Ｎｏ．３からなる本文の側面図
【図５】本発明に於ける連続したブックカバーの平面図
【図６】本発明に於ける連続した本文とカバーの接着状態の側面図
【図７】本発明に於ける連続した本文がカバーに包まれた状態の側面図
【図８】本発明に於ける連続した光触媒型ブックを窓際にかけた状態の側面図
【符号の説明】
【０００８】１、２、３・・・        ：  本発明に於ける単位となる用紙
１−１、１−２、１−３  ：  本発明に於けるＮｏ．１単位用紙の３分割区画
２−１、２−２、２−３  ：  本発明に於けるＮｏ．２単位用紙の３分割区画
Ｇ−１、Ｇ−２、Ｇ−３、Ｇ−４  ：  本発明に於ける単位用紙及び表紙に施される水性                                    線のり
３                              ：  本発明に於けるジグザグ状に折られた１冊分の本                                    文
４                              ：  本発明に於ける連続ブックの表紙（カバー）
４−１、４−２、・・・  ４−５  ：  本発明に於ける表紙の分割された区画
５−１、５−２                  ：  本発明に於ける連続ブックの小口及び背中
６                              ：  本発明に於ける連続ブック表紙の一端のポケット
６′                            ：  本発明に於ける連続ブック表紙の一端のポケット                                    の開口部
７                              ：  本発明に於ける連続ブックの完成品
８                              ：  本発明に於ける連続ブックの光触媒紙
８−１                          ：  本発明に於ける連続ブックの光触媒面
８−２                          ：  本発明に於ける連続ブックの非光触媒面
９                              ：  窓ガラス
１０                            ：  太陽光
【図１】
2011235618.tif 000003
【図２】
2011235618.tif 000004
【図３】
2011235618.tif 000005
【図４】
2011235618.tif 000006
【図５】
2011235618.tif 000007
【図６】
2011235618.tif 000008
【図７】
2011235618.tif 000009
【図８】
2011235618.tif 000010